(57)【要約】【課題】パチンコ球が機内を下降する際にパチンコ球が特定箇所に集中的に落下して部分的に摩耗したり割れたりすることを防止することができるパチンコ機を提供すること。【解決手段】上方位置から供給されたパチンコ球が最終的に排出機構から排出される間に同パチンコ球が上部位置から下部位置に落下して集中的に当接する位置、例えばアウト球が落下当接する球通路４９などに着脱可能な着脱樋６５を配設する。このようにすれば経年使用で着脱樋６５が劣化した場合にその着脱樋６５のみを交換すればよい。【選択図】        図４
2011088023.tif 000002
【特許請求の範囲】
【請求項１】
少なくとも支持枠体と、同支持枠体に組み込まれ遊技者が対面して遊技を行うほぼ垂直な遊技面が形成された遊技台と、同遊技台の上方位置から供給されたパチンコ球を同遊技面上部に向かって発射させる発射操作機構と、同発射操作機構によって打ち出されたパチンコ球の前記遊技面上での遊技が完了した後遊技面から退場する遊技後のパチンコ球を導く排出機構とを備えたパチンコ機において、
前記上方位置から供給された前記パチンコ球が最終的に前記排出機構から排出される間に同パチンコ球が上部位置から下部位置に落下して集中的に当接する位置に着脱可能な球受け部材を配設したことを特徴とするパチンコ機。
【発明の詳細な説明】
【技術分野】
【０００１】
本発明は遊技機に関し、特に機内を流通するパチンコ球が上部位置から下部位置に落下する際にこれを受け止める球受け部を備えたパチンコ機に関するものである。
【背景技術】
【０００２】
パチンコ機における遊技では遊技者が発射操作機構の一部としてのハンドルを操作してパチンコ球（このパチンコ球を遊技球という）を遊技面に打ち出し、その遊技球が遊技面に植設された釘等の障害物に干渉されながら下降し、途中に設けられた入賞孔に入賞することでパチンコ球（このパチンコ球を賞球という）を得ることを主目的としている。パチンコ機の遊技に使用されるパチンコ球は入賞に伴ってあるいはいわゆるＣＲ機では購入したカードに従って貸し出される貸し球としてパチンコ機本体の前面側の上皿あるいは下皿に供給される。そして、供給されたパチンコ球は遊技面上に打ち出されて遊技者において遊技の媒体となる。パチンコ球はあるものは下降しながら入賞孔に入っていわゆるセーフ球となり、あるものは入賞孔に入らずにいわゆるアウト球となる。
【発明の概要】
【発明が解決しようとする課題】
【０００３】
ところで、パチンコ球はパチンコ機の内部において様々に挙動する。特に問題なのは重力に従って上部位置から下部位置にパチンコ球が落下する際に同じ箇所に集中的にパチンコ球が当接するため経年使用によりその部分が摩耗したり割れたりひびが入ったりして劣化する可能性があることである。また、このような劣化はパチンコ球が落下して当接するすべての部材に均等に起こるわけではない。
上記のセーフ球及びアウト球を例に取れば、ある機種ではセーフ球及びアウト球機内においては遊技盤裏面の機構盤等に配置された球通路上に落下して排出孔から排出通路に導かれ更に機外に排出される。
ここにアウト球はセーフ球よりも大量に発生するため当然球通路上に落下する際にアウト球が落下する部分のほうがセーフ球が落下する部分に比べ何倍も劣化する割合が大きくなる。
本発明は、このような従来の技術に存在する問題点に着目してなされたものである。その目的とするところは、パチンコ球が機内を下降する際にパチンコ球が特定箇所に集中的に落下して部分的に摩耗したり割れたりすることを防止することができるパチンコ機を提供するものである。
【課題を解決するための手段】
【０００４】
上記の目的を達成するために、請求項１に記載の発明では、少なくとも支持枠体と、同支持枠体に組み込まれ遊技者が対面して遊技を行うほぼ垂直な遊技面が形成された遊技台と、同遊技台の上方位置から供給されたパチンコ球を同遊技面上部に向かって発射させる発射操作機構と、同発射操作機構によって打ち出されたパチンコ球の前記遊技面上での遊技が完了した後遊技面から退場する遊技後のパチンコ球を導く排出機構とを備えたパチンコ機において、前記上方位置から供給された前記パチンコ球が最終的に前記排出機構から排出される間に同パチンコ球が上部位置から下部位置に落下して集中的に当接する位置に着脱可能な球受け部材を配設したことをその要旨とする。
このような構成では、パチンコ球が上部位置から下部位置に落下して集中的に球受け部材に当接し、その結果球受け部材が部分的に摩耗したり割れたりひびが入ったりして劣化しても球受け部材のみを交換することで不具合が生じていない箇所についてまで交換する必要がない。
【発明の効果】
【０００５】
請求項１に記載された発明では、パチンコ球が上部位置から下部位置に落下して集中的に球受け部材に当接し、同球受け部が劣化しても球受け部材のみを交換することで対処することが可能となり不具合が生じていない箇所についてまで交換する必要がなくなる。
【図面の簡単な説明】
【０００６】
【図１】本発明の実施の形態のパチンコ機の扉枠及びパチンコ機本体を開放した状態の斜視図。
【図２】同じパチンコ機の背面図。
【図３】実施の形態１の機構盤下部の正面図。
【図４】実施の形態１の機構盤下部の斜視図。
【図５】実施の形態１の着脱樋及び周辺構造の斜視図。
【図６】実施の形態１の着脱樋の斜視図。
【図７】図１０のＥ−Ｅ線における断面位置での側面図。
【図８】実施の形態１の着脱樋の装着状態を説明する部分拡大正面図。
【図９】（ａ）は図３のＡ−Ａ線における断面図、（ｂ）は図３のＢ−Ｂ線における断面位置での側面図、（ｃ）は図３のＣ−Ｃ線における断面位置での側面図。
【図１０】図３のＤ−Ｄ線における断面位置での平面図。
【図１１】実施の形態２の機構盤下部の正面図。
【図１２】実施の形態２の機構盤下部の斜視図。
【図１３】図１１のＦ−Ｆ線における断面位置での平面図。
【図１４】実施の形態２の着脱樋の装着状態を説明する部分拡大正面図。
【図１５】実施の形態２の着脱樋の斜視図。
【図１６】実施の形態２の着脱樋の側面図。
【図１７】実施の形態３のパチンコ機の背面図。
【図１８】図１７における取り付けベースを開放した状態の背面図。
【図１９】実施の形態４において扉枠、パチンコ機本体、上部カバープレートを開放し、更に着脱プレートを外した状態の斜視図。
【発明を実施するための形態】
【０００７】
以下、本発明をパチンコ機に応用した各実施の形態について図面に基づいて説明する。まず、図１に基づいてパチンコ機の概略を説明し、その後各実施の形態それぞれの固有の構成について説明する。尚、以下の説明で前面側或いは表面側とは遊技者が正対する側をいう。左右とは遊技者側から見た左右方向をいう。
図１に示すように、パチンコ遊技機の支持枠体としての外枠１は上下左右の各枠板１ａ〜１ｄによって四角形に枠組みされた木製の枠体とされている。下部枠板１ｂ上面には幕板２が配設されている。外枠１にはパチンコ機本体４が装着されている。パチンコ機本体４はヒンジ金具６の回動軸６ａを中心に回動し外枠１に対して開閉可能とされている。パチンコ機本体４の上半身には遊技盤５が装着されている。遊技盤５の前面にはほぼ垂直に配置された遊技面９が形成されている。遊技面９上には内レール１０、外レール１１、入賞口１２及び可変表示装置１３等が所定位置に配置された遊技領域１４が形成されている。内レール１０の最下部位置にはアウト球回収口１７が形成されている。尚、釘については図示が省略されている。遊技盤５の周囲は額縁状の扉枠支持フレーム７にて包囲されている。扉枠支持フレーム７はパチンコ機本体４と一体的に形成されている。扉枠支持フレーム７の上部前面には水平方向に３つのランプ８が配設されている。
【０００８】
図１に示すように、遊技盤５の前面には前面枠としての扉枠１５が配設されている。扉枠１５はヒンジ金具６の回動軸６ａを中心に回動しパチンコ機本体４に対して開閉可能とされている。扉枠１５は閉じられた状態で前記扉枠支持フレーム７に当接する。扉枠１５はほぼ正方形の外形を有し、中央にほぼ正方形の大型の窓穴１６が形成されている。窓穴１６にはガラスＧがはめ込まれている。扉枠１５上方の上梁１９には水平方向に３つの透孔２４が形成されている。透孔２４は前記扉枠支持フレーム７のランプ８に対応しており、扉枠１５を閉じた時に各ランプ８が対応する透孔２４内に配置される。上梁１９前面には半透明の装飾パネル２５が配設され、同透孔２４を覆っている。ランプ８の光は同透孔２４を通して光透過性の装飾パネル２５を明るく照らし出す。左縦枠２１には扉枠支持フレーム７に設けられた鍵穴２７を（図１参照）露出させるための台形の大きな切り欠き２８が形成されている。扉枠１５の背面側には同窓穴１６の全周囲に渡って同窓穴１６を包囲する金属製の補強フレーム２９が配設されている。
【０００９】
図２に示すように、遊技盤５の背面側には開閉可能に開閉盤としての機構盤２２がパチンコ機本体４に対して開閉可能に装着されている。機構盤２２は上下に配設されたヒンジ部２３によってパチンコ機本体４に支持されており、盤面に散点的に配置された開閉ピン２６の引き出し及び押し込みによってパチンコ機本体４に着脱される。機構盤２２の上部にはタンクＴが配設されている。タンクＴの図２における右方には入出力基盤３０が配設されている。入出力基盤３０の下方には上下方向に球払い出し機構Ｐが配設されている。球払い出し機構Ｐの下方には同球払い出し機構Ｐと連動したセーフ球処理機構Ｑが配設されている。セーフ球処理機構Ｑの図２における左方には発射操作機構制御装置ユニット３１と払い出し制御装置ユニット３２が配設されている。発射操作機構制御装置ユニット３１は後述する遊技球発射機構Ｒの制御を行う制御機構とされ、払い出し制御装置ユニット３２は賞球の払い出しの制御機構とされている。図１、図３等に示すように本各実施の形態では機構盤２２の下部前面側にパチンコ球配送部４３が形成されている。パチンコ球配送部４３については後述する。
機構盤２２の中央付近には大型開口部２２ａが形成されている。図２に示すように、パチンコ機本体４に対して機構盤２２が閉塞された状態で同大型開口部２２ａから遊技盤５の背面に配設された図柄表示装置ユニット３３及び制御装置ユニット３４が露出される。図柄表示装置ユニット３３は可変表示装置１３の制御を行う制御機構とされ、制御装置ユニット３４は賞球の排出等のパチンコ機の制御を行う制御機構とされている。
【００１０】
扉枠１５の下方には上部カバープレート３５が装着されている。上部カバープレート３５はパチンコ機本体４に対して図示しないヒンジ金具によって片持ち支持され同パチンコ機本体４に対して開閉可能とされている。上部カバープレート３５は前方に突出形成され、上面に上受け皿３６が載置されている。上部カバープレート３５の下方には下部カバープレート３７が配設されている。下部カバープレート３７はパチンコ機本体４に対して固着されている。下部カバープレート３７は前方に突出形成され、上面に下受け皿３８が載置されている。下受け皿３８は主として上受け皿３６に貯留しきれなかった遊技球を貯留するものである。下部カバープレート３７には灰皿４０が装着されている。下受け皿３８の右側方には発射操作機構としての操作ハンドル３９が取付けられている。  パチンコ機本体４下部であって操作ハンドル３９の背面側には遊技球発射機構
Ｒが配設されている。図２に示すように、遊技球発射機構Ｒはパチンコ機本体４に対して機構盤２２が閉塞された状態で機構盤２２下部寄りに形成された切り欠部２２ｂから背面に向かって露出されている。
【００１１】
次にパチンコ球配送部４３の周辺の構成について各実施の形態毎に詳述する。
（実施の形態１）
図１及び図３に示すように、機構盤２２下部であって遊技盤５の背面側にはパチンコ球配送部４３が配設されている。図３及び図４に示すように、パチンコ球配送部４３の左方側には前記上部カバープレート３５の上受け皿３６方向に賞球を導くための上受け皿送出通路４５が配設されている。上受け皿送出通路４５の下方には上受け皿送出通路４５が賞球でいっぱいになった際に前記下部カバープレート３７の下受け皿３８に賞球を導くバイパス通路４６が配設されている。
パチンコ球配送部４３の上方には左右方向に渉ってセーフ球及びアウト球を受け止める第１〜第３の球通路４８〜５０が配設されている。
第１の球通路４８は上受け皿送出通路４５の上方に配置されている。図３に示すように第１の球通路４８は右下がりの傾斜とされ、図９（ｂ）に示すように前後方向には傾斜のない水平面とされている。上受け皿送出通路４５の右方には同第１の球通路４８に対して大きく一段段違いに低くなった第２の球通路４９が配置されている。図３に示すように第２の球通路４９は右下がりの傾斜とされ、同時に図９（ａ）に示すように前下がりの傾斜面とされている。第２の球通路４９の右端は排出孔５１に接続されている。
図３〜図５及び図８に示すように、第２の球通路４９にはちょうどアウト球がアウト球回収口１７から集中的に落下する位置に着脱可能な球受け部材としての着脱樋６５が配設されている。着脱樋６５については後述する。
排出孔５１を挟んで右方には第３の球通路５０が配置されている。図３に示すように第３の球通路５０は左下がりの傾斜とされ、同時に図９（ｂ）に示すように前下がりの傾斜面とされている。排出孔５１から下方には蛇行する排出通路５２が配設されている。本実施の形態１では第２及び第３の球通路４９，５０によって球通路の全長の４分の３以上を占める。
【００１２】
また、本実施の形態１では第１の球通路４８は後方の第１の背面壁６０と一体成形され、第３の球通路５０は後方の第２の背面壁６１と一体成形されている。しかし、第２の球通路４９のみは合金製プレートによって構成されている。本実施の形態１では第２及び第３の球通路４９，５０並びに装着した状態の着脱樋６５の前端はパチンコ球配送部４３の前面の基準となる前方基準位置Ｐよりも若干後退した位置とされている。つまり、図１０に示すように、パチンコ球配送部４３では前方基準位置Ｐにおいて遊技盤５の背面板６３と密着するとともに、第２及び第３の球通路４９，５０前端部においては隙間Ｑが形成されることとなる。
【００１３】
第２の球通路４９の下方には第１の球受け板５３が配設されている。第１の球受け板５３は図３に示すように第２の球通路４９と平行に、つまり右下がりの傾斜とされ、図９（ａ）に示すように前後方向は傾斜のない水平面とされている。第１の球受け板５３は第２の背面壁６１と一体成形されている。第１の球受け板５３の前端位置は上記前方基準位置Ｐに配置される。第１の球受け板５３には前方に長手方向に沿って補強リブ５４が形成されている。第１の球受け板５３の下端（右端）は前記排出通路５２の中程に形成された第１の開口部５５に接続されている。第３の球通路５０の下方には第２の球受け板５７が配設されている。第２の球受け板５７は図３に示すように左下がりの傾斜とされ、図９（ｂ）に示すように前後方向は傾斜のない水平面とされている。第２の球受け板５７は第２の背面壁６１と一体成形されている。第１の球受け板５３の前端位置は上記前方基準位置Ｐに配置される。第２の球受け板５７には前端には長手方向に沿って補強リブ５８が形成されている。第２の球受け板５７の下端（右端）は前記排出通路５２の中程に形成された第２の開口部５９に接続されている。両開口部５５，５９は上下方向に若干ずれた位置に開口している。
【００１４】
次に、前記第２の球通路４９に配設された着脱樋６５について説明する。
図３〜図５及び図８に示すように、第２の球通路４９にはアウト球がアウト球回収口１７から集中的に落下する位置に対応して切り欠き部６６が形成されており、プラスチック製の着脱樋６５は同切り欠き部６６に橋を架けるように着脱可能に架設されている。より具体的に着脱樋６５の構成及び架設構造について説明する。図３〜図８及び図９（ｃ）に示すように、着脱樋６５の本体６５ａは長方形形状の板体であって、着脱樋６５の切り欠き部６６への装着状態において同本体６５ａは第２の球通路４９の傾斜と同様に右下がりの傾斜とされるとともに前下がりに傾斜した構成とされる。図５〜図８に示すように、本体６５ａの左右両端には前後方向に延びる取り付け溝６７，６８が形成されている。本体６５ａ後部には長手方向に沿って取り付けリブ７０が形成されている。取り付けリブ７０には固定ねじ７１用のねじ孔７０ａが穿設されている。
一方、切り欠き部６６にはその左側端部６６ａに第２の球通路４９の表面から一段わずかに下がった位置に断面鉤状に段違いほぞ７３が形成されている。右側端部６６ｂは第２の球通路４９がそのままカットされた状態で普通ほぞ７４が形成されている。
このような構成において着脱樋６５を切り欠き部６６に架設させる場合の架設方法について説明する。図５に示すように、着脱樋６５の取り付け溝６７，６８をそれぞれ切り欠き部６６の段違いほぞ７３及び普通ほぞ７４に対して手前側から嵌合させるとともに後方に向かってスライド移動させる。そして、取り付けリブ７０を第２の背面壁６１に密着させた状態で照合された取り付けリブ７０のねじ孔７０ａと第２の背面壁６１のねじ孔６１ａとを固定ねじ７１にて裏面側から共締めすることで固定する（図７参照）。
この着脱樋６５の取り付け完了状態で図８に示すように着脱樋６５の本体６５ａの表面は上流側の第２の球通路４９の表面に対してわずかに下がった段違いが形成される。また、下流側の第２の球通路４９の表面に対してはわずかに上がった段違いが形成される。
【００１５】
次にこのように構成された実施の形態１の作用について説明する。
遊技者が操作ハンドル３９を操作して遊技球を遊技面９上に打ち出す。遊技面９に打ち出された遊技球（パチンコ球）は途中図示しない釘等の障害物に干渉されながら下降し、あるものは入賞口１２に入り、あるものは入賞口１２に入らずにアウト球回収口１７に入る。
ここに、前記入賞口１２に入った遊技球はセーフ球とされる。セーフ球は図示しないセンサによってその入賞口１２を通過したことが検出され同センサから入出力基盤に出力される。この出力に基づいて賞球排出処理や可変表示装置１３の可変表示処理等が行われる。このセーフ球は以後このパチンコ機では不要となるので遊技面９の裏面から第１〜第３の球通路４８〜５０のいずれかに落下する。
一方、アウト球回収口１７に入った遊技球はアウト球とされる。アウト球は入賞口１２に入らずに遊技が終わってしまった遊技球である。これも以後このパチンコ機では不要となるのでアウト球回収口１７から後方に導かれ第２の球通路４９の着脱樋６５上に落下する。
【００１６】
ここに、アウト球はセーフ球よりも絶対的に数が多く、かつアウト球回収口１７に集中する。従って、アウト球が実際に落下当接することとなる着脱樋６５は経年使用されることにより大きな負荷のかかる部材となる。従って、摩耗やひびや割れが生ずるおそれが大きい。そのような不具合が生じた場合には取り替えが可能である。その場合には上記の架設作業とは逆に固定ねじ７１を外し着脱樋６５を手前側にスライド移動させて取り外し、新たな着脱樋６５を上記と同様の作業で付け替える。
一般に取り替えて新たに装着される部材は必ずしも取り替える前のものと寸分違わない位置に装着されるわけではなく、新たな部材は隣接する従来の部材との接続面に若干の寸法誤差が生じて必ずしも滑らかな接続面が形成されない場合が生じることがある。これが、本技術分野のようなパチンコ機でしかも第２の球通路４９のようなパチンコ球が流下する部分であると上流側よりも下流側のほうが高くなるような段差ができパチンコ球が途中で停滞してしまうという不具合が生じるおそれがある。
しかし、本実施の形態１では着脱樋６５の取り付け完了状態で図８に示すようにパチンコ球の流下面が着脱樋６５の表面と隣接する左右の第２の球通路４９の表面とは下流側ほど段違いに低くなるように構成されている。従って、多少の着脱樋６５の取り付け時のずれが生じたとしても着脱樋６５と第２の球通路４９との接続部で下流側が高くなることがなくなり、パチンコ球が下流に流れずに途中で停滞してしまうという不具合が生ずることがない。
【００１７】
第１〜第３の球通路４８〜５０のいずれかに落下したセーフ球又はアウト球（以後単にパチンコ球とする）は傾斜に従って左右方向に排出孔５１に向かって転動していく。第１の球通路４８に落下したパチンコ球は右方向に転動していき第２の球通路４９上に一旦落下する。第２の球通路４９上に落下したパチンコ球は右方向に転動していき排出孔５１内に落下する。第３の球通路５０上に落下したパチンコ球は左方向に転動していき排出孔５１内に落下する。落下したパチンコ球は排出通路５２を下降し機外に排出（回収）される。尚、本実施の形態１の第２及び第３の球通路４９，５０では前下がりに傾斜されているため、パチンコ球は排出孔５１方向に流下しながら遊技盤５の背面板６３側に寄ってくることとなる。
【００１８】
ここに、第１〜第３の球通路４８〜５０は汚れたパチンコ球が集中的に通過するため塵埃が溜まりやすい構造となっている。しかし、第２及び第３の球通路４９，５０では前方に傾斜されており、主としてパチンコ球の球通路４８〜５０上への落下による振動で塵埃はこの傾斜された前方側に移動していく。そして、第２及び第３の球通路４９，５０の前方は図９（ａ）及び図１０に示すように隙間Ｑが形成されており、塵埃はこの隙間Ｑから第１の球受け板５３に落下していくこととなる。
ところで、経年使用によりパチンコ機の構成部材に歪みや弛みが生じ、その影響で上部カバープレート３５の背面板６３が前方基準位置Ｐに配置されず一部あるいは全部の隙間Ｑがパチンコ球よりも大きくなってしまった場合にはパチンコ球はその大きくなった隙間Ｑから下方に落下してしまう可能性がある。このとき落下したパチンコ球は第１及び第２の球受け板５３，５７によって受け止められそのまま球受け板５３，５７の傾斜に沿って転動しそれぞれ開口部５５，５９から排出通路５２に戻されることとなる。
【００１９】
このように構成することにより本実施の形態１は次のような効果を奏する。
（１）大量のアウト球が落下して当接する着脱樋６５は経年使用されることにより摩耗やひびや割れが生ずるおそれが大きい。ところが、本実施の形態１では容易に取り替えができるためそのような不具合が生じた場合に第２の球通路４９やあるいはパチンコ球配送部４３全体を取り替えるという無駄がなくなり経費の節減となるとともに結果として産業廃棄物の排出量の削減に寄与することができる。
（２）また、新たに装着する部材は往々にして当初から装着されている部材と製造誤差等からきれいに収まらず接続部などに段差が生じやすいものである。その結果、下流側のほうが上流側よりも出っ張りその段差部分にパチンコ球が停滞してしまう可能性がある。ところが、実施の形態１では着脱樋６５の取り付け完了状態で図８に示すようにパチンコ球の流下面が着脱樋６５の表面と隣接する左右の第２の球通路４９の表面とは下流側ほど段違いに低くなるように構成されている。従って、多少の着脱樋６５の取り付け時のずれが生じたとしても着脱樋６５と第２の球通路４９との接続部で下流側が高くなることがなくなり、パチンコ球が下流に流れず途中で停滞してしまうという不具合が生ずることがない。
（３）着脱樋６５は切り欠き部６６と取り付け溝６７，６８と段違いほぞ７３及び普通ほぞ７４とによるスライド取着構造によって架設するようにしているため、着脱樋６５をスライド移動させるだけで正確に所望位置に配置させることができるともに、段違いほぞ７３及び普通ほぞ７４を上下から取り付け溝６７，６８で挟み込むこととなってしっかりと架設されがたつきが生じにくい。また、スライド取着構造によって支持されるため上記のように固定ねじ７１は１つでもよく多くは必要とされないため着脱作業が簡素化される。
（４）パチンコ球が落下する振動や遊技中に生ずる振動などで第２及び第３の球通路４９，５０に溜った塵埃は傾斜にしたがって前方に移動し、最終的に隙間Ｑから下方に落下して第１及び第２の球受け板５３，５７上に堆積することとなる。そのため、経年使用しても第２及び第３の球通路４９，５０に溜ってパチンコ球が転動しにくくなったりパチンコ球が汚れたりすることがなくなる。
（５）上記のように隙間Ｑがパチンコ球よりも大きくなってしまいパチンコ球はその大きくなった隙間Ｑから下方に落下してしまった場合でも、落下したパチンコ球は第１及び第２の球受け板５３，５７によって受け止められそのまま球受け板５３，５７の傾斜に沿って転動しそれぞれ開口部５５，５９から排出通路５２に戻されることとなるため、回収すべきパチンコ球が取り出せずに機内に残ってしまうというような不具合が生ずることがなくなる。
（６）第２の球通路４９は金属製であるため、パチンコ球の落下当接による打音が大きくなってしまいうるさいところ、上記のようにもっとも多くのアウト球が落下する位置に配設された着脱樋６５はプラスチック製であるため打音が減衰される。
【００２０】
（実施の形態２）
以下、実施の形態２においては実施の形態１における第２及び第３の球通路４９，５０の構成のみ異なっているため実施の形態１と同じ部材については図面上で同じ番号を付し、詳しい説明は省略するとともに異なる部分を中心に説明する。
上受け皿送出通路４５の右方には同第１の球通路４８に対して大きく一段段違いに低くなった第２の球通路８１が配置されている。図１１及び図１２に示すように第２の球通路８１は全体として右下がりの傾斜とされると同時に上流側から順に第１の前下がり部８１ａ、後下がり部８１ｂ及び第２の前下がり部８１ｃの３つが交互に逆傾斜となるように組み合わされて構成されている。第１及び第２の前下がり部８１ａ，８１ｃは前下がりに傾斜した表面とされるとともに、後下がり部８１ｂは後下がりに傾斜した表面とされている。このうち後下がり部８１ｂ及び第２の前下がり部８１ｃは球受け部材としての着脱樋８３の一部を構成している。着脱樋８３の架設構造については詳しく後述するが、まず着脱樋８３が装着された状態における構成を説明する。
【００２１】
図１２及び図１３に示すように、後下がり部８１ｂの第２の背面壁６１寄り基部にはスリット８２が形成されている。第２の球通路８１の右端は排出孔５１に接続されている。排出孔５１を挟んで右方には第３の球通路８５が配置されている。図１１及び図１２に示すように第３の球通路８５は全体として左下がりの傾斜とされると同時に上流側から順に第１の後下がり部８５ａ、前下がり部８５ｂ及び第２の後下がり部８５ｃの３つが交互に逆傾斜となるように組み合わされて構成されている。第１及び第２の後下がり部８５ａ，８５ｃは後下がりに傾斜した表面とされるとともに、前下がり部８５ｂは前下がりに傾斜した表面とされている。
図１３に示すように、第１及び第２の後下がり部８５ａ，８５ｃの第２の背面壁６１寄り基部にはスリット８２が形成されている。排出孔５１から下方には蛇行する排出通路５２が配設されている。本実施の形態１では第２及び第３の球通路８１，８５によって球通路の全長の４分の３以上を占める。尚、本実施の形態２では実施の形態１と異なり第２及び第３の球通路８１，８５は後方の第２の背面壁６１と一体形成されている。
本実施の形態２では第２及び第３の球通路８１，８５の前端はパチンコ球配送部４３の前面の基準となる前方基準位置Ｐよりも若干後退した位置とされている。つまり、図１３に示すように、パチンコ球配送部４３では前方基準位置Ｐにおいて遊技盤５の背面板６３と密着するとともに、第２及び第３の球通路８１，８５前端部においては隙間Ｑが形成されることとなる。
【００２２】
次に、前記第２の球通路８１に配設された着脱樋８３について説明する。
図１５に示すように、着脱樋８３は後下がり部８１ｂ及び第２の前下がり部８１ｃと排出孔５１を構成する下垂板８９とから構成されている。後下がり部８１ｂの左端には上方に延出される取り付けリブ９０が形成されている。取り付けリブ９０には固定ねじ９１用の長孔９０ａが穿設されている。下垂板８９の奧部寄りには取り付けブラケット９２が形成されている。取り付けブラケット９２には固定ねじ９１用の長孔９２ａが穿設されている。
一方、第２の背面壁６１に一体的に固着された第２の球通路８１の第１の後下がり部８５ａ末端（右端）には下方に延出される取り付けリブ９３が形成されている。取り付けリブ９３には固定ねじ９１用の図示しないねじ孔が穿設されている（長孔９２ａと異なり透孔とはなっていない）。このような構成において着脱樋８３を装着する方法について説明する。図１４に示すように、着脱樋８３の取り付けリブ９０と第１の後下がり部８５ａの取り付けリブ９３とを鉤の手状に組み合わせ照合された長孔９０ａを固定ねじ９１にて共締めする。一方、取り付けブラケット９２の長孔９２ａ図示しない第２の背面壁６１のねじ孔と照合させ同様に固定ねじ９１にて共締めする。このとき、若干の寸法誤差がある場合には長孔９０ａ，９２ａによって上下方向の調整を行って第１の後下がり部８５ａと前下がり部８５ｂとの接続部にパチンコ球が停滞してしまうような段差が生じないようにする。
【００２３】
次にこのように構成された実施の形態２の作用について説明する。
遊技者が操作ハンドル３９を操作して遊技球を遊技面９上に打ち出す。遊技面９に打ち出された遊技球（パチンコ球）は途中図示しない釘等の障害物に干渉されながら下降し、あるものは入賞口１２に入り、あるものは入賞口１２に入らずにアウト球回収口１７に入る。
ここに、前記入賞口１２に入った遊技球はセーフ球とされる。セーフ球は図示しないセンサによってその入賞口１２を通過したことが検出され同センサから入出力基盤に出力される。この出力に基づいて賞球排出処理や可変表示装置１３の可変表示処理等が行われる。このセーフ球は以後このパチンコ機では不要となるので遊技面９の裏面から第１〜第３の球通路４８，８１，８５のいずれかに落下する。一方、アウト球回収口１７に入った遊技球はアウト球とされる。アウト球は入賞口１２に入らずに遊技が終わってしまった遊技球である。これも以後このパチンコ機では不要となるのでアウト球回収口１７から後方に導かれ第２の球通路８１の着脱樋８３上に落下する。
【００２４】
ここに、アウト球はセーフ球よりも絶対的に数が多く、かつアウト球回収口１７に集中する。従って、アウト球が実際に落下当接することとなる着脱樋８３は経年使用されることにより大きな負荷のかかる部材となる。従って、摩耗やひびや割れが生ずるおそれが大きい。そのような不具合が生じた場合には取り替えが可能である。その場合には上記の架設作業とは逆に固定ねじ９１を外し着脱樋８３を取り外し、新たな着脱樋８３を上記と同様の作業で付け替える。
また、本実施の形態２では図１２及び図１５に示すように、上流側から順に第１の前下がり部８１ａ、後下がり部８１ｂ及び第２の前下がり部８１ｃの３つが交互に逆傾斜となるように組み合わされて構成されている。そのため、パチンコ球が第２の球通路８１において前後方向に攪乱されながら流下するため一箇所のみに集中的にパチンコ球が接するということがなくなる。更に、下流側の傾斜は隣接する上流側の傾斜の最も低い位置が最も高い位置となるような配置とされている。従って、勿論一体的な後下がり部８１ｂ及び第２の前下がり部８１ｃ間の段差部分においてパチンコ球が停滞してしまうことはない。
第１〜第３の球通路４８，８１，８５では実施の形態１と同様汚れたパチンコ球が集中的に通過するため塵埃が溜まりやすい構造となっている。しかし、第２の球通路８１では第１及び第２の前下がり部８１ａ，８１ｃでは前下がりに、後下がり部８１ｂでは後下がりに傾斜されており、第３の球通路８５では第１及び第２の後下がり部８５ａ，８５ｃでは後下がりに、前下がり部８５ｂでは前下がりに傾斜されている。従って、主としてパチンコ球の球通路４８，８１，８５上への落下による振動で塵埃はこれら傾斜に従って前方あるいは後方側に移動していく。そして、前下がり部８１ａ，８１ｃ，８５ｂを移動する塵埃は隙間Ｑから、また後下がり部８１ｂ，８５ａ，８５ｃを移動する塵埃はスリット８２から第１及び第２の球受け板５３，５７上に落下することとなる。
【００２５】
このように構成することにより本実施の形態２は次のような効果を奏する。
（１）大量のアウト球が落下して当接する着脱樋８３は経年使用されることにより摩耗やひびや割れが生ずるおそれが大きい。ところが、本実施の形態２では容易に取り替えができるためそのような不具合が生じた場合に第２の球通路８１やあるいはパチンコ球配送部４３全体を取り替えるという無駄がなくなり経費の節減となるとともに結果として産業廃棄物の排出量の削減に寄与することができる。
（２）新たに装着する部材は往々にして当初から装着されている部材と製造誤差等からきれいに収まらず接続部などに段差が生じやすいものである。その結果、下流側のほうが上流側よりも出っ張りその段差部分にパチンコ球が停滞してしまう可能性がある。ところが、実施の形態２では長孔９０ａ，９２ａによって着脱樋８３を上下方向に若干ずらすことが可能となっているため第２の球通路８１において着脱樋８３と上流側の第１の前下がり部８１ａのとの接続部で下流側が高くなることがなくなり、パチンコ球が下流に流れず途中で停滞してしまうという不具合が生ずることがない。
（３）本実施の形態２では図１２及び図１５に示すように、上流側から順に第１の前下がり部８１ａ、後下がり部８１ｂ及び第２の前下がり部８１ｃの３つが交互に逆傾斜となるように組み合わされて構成されている。更に、下流側の傾斜は隣接する上流側の傾斜の最も低い位置が最も高い位置となるような配置とされている。従って、勿論一体的な後下がり部８１ｂ及び第２の前下がり部８１ｃ間の段差部分においてパチンコ球が停滞してしまうことはなく、また、パチンコ球が第２の球通路８１において前後方向に攪乱されながら流下するため一箇所のみに集中的にパチンコ球が接するということがなくなる。その結果、部分的な摩耗が軽減され着脱樋８３の交換時期を遅くすることができる。
（４）パチンコ球が落下する振動や遊技中に生ずる振動などで第２及び第３の球通路８１，８５に溜った塵埃は傾斜にしたがって前方あるいは後方に移動し、最終的にスリット６９や隙間Ｑから下方に落下して第１及び第２の球受け板５３，５７上に堆積することとなる。そのため、経年使用しても第２及び第３の球通路８１，８５に溜ってパチンコ球が転動しにくくなったりパチンコ球が汚れたりするようなことがなくなる。
【００２６】
（実施の形態３）
本発明を図１７及び図１８に示すような内部構造のパチンコ機に応用するようにしてもよい。この機種では実施の形態１及び２の機構盤２２とは異なる機構盤９５を備えている。機構盤９５は上記実施の形態１及び２と同様タンクＴ、球払い出し機構Ｐ及び可変表示装置１３置等を覆うカバー９６等が取着されているものの、制御基盤は機構盤９５とは別体として基盤ボックスに収納して取り付けベース９７に配設したものである。取り付けベース９７は単独で開閉ピン９７ａを操作して片持ち開きで（図１７において右手前方向に回動して開く）開閉可能とされている。取り付けベース９７の裏面（表側からでは表面）側には実施の形態１の各球通路４８〜５０に相当する球通路９８が配設され、図１８に示すように取り付けベース９７を開放した状態で球通路９８が露出するようになっている。球通路９８のちょうどアウト球回収口９９後方の下部位置であってアウト球が落下位置には着脱樋１００が配設されている。この着脱樋１００は取り付けベース９７を開放した状態で交換可能とされている。
このような構成であれば、裏面側から取り付けベース９７を開放するだけで球通路９８を露出させ着脱樋１００を点検することができるとともに、不具合を発見した場合の交換作業を容易に行え、上記実施の形態１のようにわざわざ機構盤２２を開放する必要がないので作業の効率化を図ることができる。
【００２７】
（実施の形態４）
図１９に示すように、パチンコ球配送部４３を前面側から露出させるようにしてもよい。本実施の形態４では上部カバープレート３５の裏面に配設されていパチンコ機本体４の一部が別体の着脱プレート１０１として着脱可能に構成されている。着脱可能とされており、これによって前面側に露出されたパチンコ球配送部４３の着脱樋６５を点検することができるとともに、不具合を発見した場合の交換作業を容易に行える。尚、実施の形態１と同じ部材は同じ番号を付して説明は省略する。
【００２８】
本発明は以下のような態様に変更して実施することが可能である。
・上記実施の形態１では各球通路４８〜５０は前下がりの傾斜とされてたが、逆に後下がりの傾斜のタイプに応用しても構わない。
・上記実施の形態２では各球通路４８，８１，８５は不連続的に前後の傾斜が逆転するように構成されていたが、たとえばねじれるように連続的に傾斜角度が変わるようなタイプに応用しても構わない。
・本実施の形態のパチンコ機は遊技が完了したパチンコ球を機外に一旦排出・回収するタイプであったが、外部に排出せず機内で循環させるようなタイプに応用することも可能である。
・上記着脱樋６５，８３の形状、材質や配置の仕方は適宜変更可能である。
・上記各実施の形態の各球通路４８〜５０，８１，８５の形状や数や配置の仕方は適宜変更可能である。
・上記各実施の形態ではパチンコ球配送部４３は機構盤２２に形成されていた。しかし、パチンコ球配送部４３の配設位置はこれに限定されるわけではなく、
例えばパチンコ球配送部４３がパチンコ機本体４側にある機種に応用することも自由である。
・上記実施の形態ではアウト球を受ける着脱樋６５，８３の応用したが、これら以外の上部位置から下部位置にパチンコ球が落下する位置、例えばたタンクから払い出し装置に至る途中等に配設するようにしてもよい。
その他、本発明の趣旨を逸脱しない態様で実施することは自由である。
【００２９】
上記実施の形態から把握できる本発明のその他の技術的思想について下記に付記として説明する。
（１）少なくとも支持枠体と、同支持枠体に組み込まれ遊技者が対面して遊技を行うほぼ垂直な遊技面が形成された遊技台と、同遊技台の上方位置に配置されたタンクから所定条件の成立によってパチンコ球を遊技者に供給する払い出し装置と、遊技者の操作によって同供給されたパチンコ球を同遊技面上部に向かって発射させる発射操作機構と、同発射操作機構によって打ち出されたパチンコ球の前記遊技面上での遊技が完了した後遊技面から退場する遊技後のパチンコ球を導く排出機構とを備えたパチンコ機において、
前記タンクから供給された前記パチンコ球が最終的に前記排出機構から排出される間に同パチンコ球が上部位置から下部位置に落下して集中的に当接する位置に着脱可能な球受け部材を配設したことを特徴とするパチンコ機。
（２）前記球受け部材は上流側のパチンコ球の流下面に対して段違いに低い位置に流下面を有することを特徴とする請求項１又は付記１に記載のパチンコ機。
このように構成すると、交換した球受け部材の収まりが悪く、若干流下面が当初位置よりも高く設置されたとしても上流側のパチンコ球の流下面を高くしてあるため下流側の球受け部材の方が高くなることがなく、パチンコ球が停滞してしまうことがなくなる。
（３）前記球受け部材は下流側のパチンコ球の流下面に対して段違いに高い位置に流下面を有することを特徴とする請求項１又は付記１に記載のパチンコ機。
このように構成すると、交換した球受け部材の収まりが悪く、若干流下面が当初位置よりも低く設置されたとしても下流側のパチンコ球の流下面を低くしてあるため上流側の球受け部材の方が低くなることがなく、パチンコ球が停滞してしまうことがなくなる。
（４）前記球受け部材は前記流下面の途中に形成された切り欠き部に架設されることを特徴とする付記１〜２若しくは付記１のいずれかに記載のパチンコ機。
このように構成すると、球受け部材の裏面は空間部とできるためパチンコ機全体として重量軽減に寄与する。
（５）前記球受け部材は前記切り欠き部との間に形成される溝とほぞとのスライド取着構造によって支持されることを特徴とする付記４に記載のパチンコ機。
このように構成すると、ほぞとを溝で挟み込むこととなってしっかりと架設されがたつきが生じにくくなる。更に、スライド取着構造によって支持されるため上記のように固定ねじは多くは必要とされないため着脱作業が簡素化される。
（６）少なくとも支持枠体と、同支持枠体に組み込まれ遊技者が対面して遊技を行うほぼ垂直な遊技面が形成された遊技台と、遊技者が操作することでパチンコ球を同遊技面上部に向かって発射させる発射操作機構とを備え、同遊技台裏面側には同遊技面上での遊技が完了したパチンコ球を受け止めるために球通路を設け、同球通路を同球通路上に至った前記遊技完了後のパチンコ球を所定の部位に流下させるために傾斜させるようにしたパチンコ機において、同球通路を流下方向に対して直行する方向に傾斜させるようにするとともに、前記パチンコ球が上部位置から下部位置に落下して集中的に当接する同球通路の所定位置には着脱可能な球受け部材を配設したことしたことを特徴とするパチンコ機。
このように構成すると、落下するパチンコ球の負荷を多く受ける部分に応用することによって最も効果的に請求項１の効果を奏することができる。
（７）前記所定位置とはアウト球の落下する位置であることを特徴とする付記６に記載のパチンコ機。
このように構成すると、落下するパチンコ球として最も多いアウト球の負荷を受ける部分に応用することによって更に効果的に請求項１の効果を奏することができる。
（８）前記球受け部材は上流側の球通路の流下面に対して段違いに低い位置に流下面を有することを特徴とする付記６又は７に記載のパチンコ機。
このように構成すると、交換した球受け部材の収まりが悪く、若干流下面が当初位置よりも高く設置されたとしても上流側のパチンコ球の流下面を高くしてあるため下流側の球受け部材の方が高くなることがなく、パチンコ球が停滞してしまうことがなくなる。
（９）前記球受け部材は下流側の球通路の流下面に対して段違いに高い位置に流下面を有することを特徴とする付記６又は７に記載のパチンコ機。
このように構成すると、交換した球受け部材の収まりが悪く、若干流下面が当初位置よりも低く設置されたとしても下流側のパチンコ球の流下面を低くしてあるため上流側の球受け部材の方が低くなることがなく、パチンコ球が停滞してしまうことがなくなる。
（１０）前記球受け部材は前記球通路途中に形成された切り欠き部に架設されることを特徴とする付記７〜９のいずれかに記載のパチンコ機。
このように構成すると、球受け部材の裏面は空間部とできるためパチンコ機全体として重量軽減に寄与する。
（１１）前記球受け部材は前記切り欠き部との間に形成される溝とほぞとのスライド取着構造によって支持されることを特徴とする付記１０に記載のパチンコ機。
このように構成すると、ほぞとを溝で挟み込むこととなってしっかりと架設されがたつきが生じにくくなる。更に、スライド取着構造によって支持されるため上記のように固定ねじは多くは必要とされないため着脱作業が簡素化される。
（１２）前記球受け部材は球通路の一部をなすことを特徴とする付記７〜９のいずれかに記載のパチンコ機。
このように構成すると、別部材として球受け部材を配置する必要はなくパチンコ機全体として重量軽減に寄与する。
（１３）前記球受け部材は上下方向に移動させて装着可能であることを特徴とする付記１２に記載のパチンコ機。
このように構成すると、若干の上下方向の調整が可能となる。これは例えば上記実施の形態２における長孔９０ａ，９２ａ等で実現される。
（１４）前記球通路及び球受け部材を流下方向に対して直行する方向に傾斜させるようにしたことを特徴とする付記６〜１２のいずれかに記載のパチンコ機。
このように構成すれば、球通路が傾斜しているために塵埃は傾斜面の下方側に移動することとなって遊技完了後のパチンコ球（セーフ球やアウト球）が汚れたり転がりにくくなるといった不具合が生じにくくなる。
（１５）前記球通路の流下方向に対して直行する方向に設定した傾斜角度は流下方向に沿って変化するようにしたことを特徴とする付記１４に記載のパチンコ機。
（１６）少なくとも前記球受け部材の前記変化は連続的あるいは断続的であることを特徴とする付記１４に記載のパチンコ機。
付記（１５）又は（１６）のように構成すれば上記効果に加え、パチンコ球が流下するに際して同じ箇所ばかりと接することを防止することができる。さらに、同じところばかりをパチンコ球が通過することがなくなるため球受け部材の交換時期が長くなる。
（１７）前記球通路は背面に配設された機構盤とは別体で構成された他の機構部によって覆われており、同他の機構部を開放することで背面側に同球通路が露出するようにしたことを特徴とする付記６〜１６のいずれかに記載のパチンコ機。このように構成すると、わざわざ機構盤を開放しなくとも球通路を露出させることができ、球受け部材の交換作業が容易に行える。他の機構部とは例えば上記実施の形態３の取り付けベース９７等である。
（１８）前記球通路はパチンコ機本体側にあることを特徴とする付記６〜１７のいずれかに記載のパチンコ機。
（１９）前記球通路は同球通路前面に配設された部材を開放することで露出するようにしたことを特徴とする付記６〜１８のいずれかに記載のパチンコ機。このように構成すると、わざわざ背面側を露出させなくとも前面側から作業を行うことができ作業効率が向上する。前面に配設された部材とは例えば上記実施の形態４の上部カバープレート３５等である。
（２０）前記球受け部材はプラスチックにて構成されていることを特徴とする請求項１若しくは付記１〜１９のいずれかに記載のパチンコ機。
金属製の球受け部材に比べて落下当接するパチンコ球の音が減衰される。
【符号の説明】
【００３０】
１…支持枠体としての外枠、４…遊技台としてのパチンコ機本体、５…遊技盤、９…遊技面、２２…機構盤、３９…発射操作機構としてのハンドル、４８〜５０，８１，８５…球通路、６５…球受け部材としての着脱樋、８３…球受け部材としての着脱樋、タンクＴ。
【図１】
2011088023.tif 000003
【図２】
2011088023.tif 000004
【図３】
2011088023.tif 000005
【図４】
2011088023.tif 000006
【図５】
2011088023.tif 000007
【図６】
2011088023.tif 000008
【図７】
2011088023.tif 000009
【図８】
2011088023.tif 000010
【図９】
2011088023.tif 000011
【図１０】
2011088023.tif 000012
【図１１】
2011088023.tif 000013
【図１２】
2011088023.tif 000014
【図１３】
2011088023.tif 000015
【図１４】
2011088023.tif 000016
【図１５】
2011088023.tif 000017
【図１６】
2011088023.tif 000018
【図１７】
2011088023.tif 000019
【図１８】
2011088023.tif 000020
【図１９】
2011088023.tif 000021